(57)【要約】【課題】本発明は、データ通信端末およびデータ通信システムに関し、受信データの実行処理中に的確に利用者にデータ保存操作を行わせることを目的とする。【解決手段】車載端末１２に、配信センタ１４から配信されたカラオケ曲の曲データを一曲分だけ格納可能な不揮発性のＥＥＰＲＯＭ３０を設ける。ＥＥＰＲＯＭ３０への曲データの保存を、タッチディスプレイ２０の表示画面に現れる“十八番設定”ボタンが押下された場合に実現させる。また、この“十八番設定”ボタンをカラオケ演奏中にのみ操作可能な“機能”ボタンが押下された場合にタッチディスプレイ２０の表示画面に現し、カラオケ演奏中においてのみ機能させる。【選択図】　　　　図１
2004109196.tif 000002
【特許請求の範囲】
【請求項１】
移動体に搭載されるデータ通信端末であって、
固定局から所定のデータを受信する受信手段と、
前記受信手段に所定のデータが受信された後、該データを実行処理する実行手段と、
受信された所定のデータを不揮発性のデータ保存領域に保存する保存手段と、
利用者による選択がなされた場合に前記保存手段による保存を実現させる選択手段と、
前記実行手段の実行処理中に前記選択手段を表示する表示手段と、
を備えることを特徴とするデータ通信端末。
【請求項２】
利用者により前記選択手段の選択がなされた際に前記データ保存領域に既に保存された別のデータが存在する場合、受信された所定のデータを該データ保存領域に保存する前に利用者に対して上書き処理の実行可否の確認を行う保存確認手段を備え、
前記保存手段は、利用者により前記選択手段の選択がなされた際、前記データ保存領域に保存されている別のデータが存在しない場合には実行処理中のデータを該データ保存領域に保存し、一方、前記データ保存領域に既に保存された別のデータが存在する場合には前記保存確認手段により上書き処理の実行が許可された後に実行処理中のデータを該データ保存領域に保存することを特徴とする請求項１記載のデータ通信端末。
【請求項３】
前記データ保存領域は、複数の利用者に対応して利用者ごとに複数設けられていることを特徴とする請求項１又は２記載のデータ通信端末。
【請求項４】
前記保存手段は、移動体と固定局との間で利用者の認証が行われた後に、該利用者に対応するデータ保存領域に受信された所定のデータを保存することを特徴とする請求項３記載のデータ通信端末。
【請求項５】
前記所定のデータは、音楽に関するデータであることを特徴とする請求項１乃至４の何れか一項記載のデータ通信端末。
【請求項６】
移動体に搭載されるデータ通信端末であって、
固定局から所定のデータを受信する受信手段と、
前記受信手段に所定のデータが受信された後、該データを実行処理する実行手段と、
受信された所定のデータを不揮発性のデータ保存領域に保存する保存手段と、
前記実行手段の実行処理中に利用者による選択がなされた場合に前記保存手段による保存を実現させる選択手段と、
利用者により前記選択手段の選択がなされた際に前記データ保存領域に既に保存された別のデータが存在する場合、受信された所定のデータを該データ保存領域に保存する前に利用者に対して上書き処理の実行可否の確認を行う保存確認手段と、を備え、
前記保存手段は、利用者により前記選択手段の選択がなされた際、前記データ保存領域に保存されている別のデータが存在しない場合には実行処理中のデータを該データ保存領域に保存し、一方、前記データ保存領域に既に保存された別のデータが存在する場合には前記保存確認手段により上書き処理の実行が許可された後に実行処理中のデータを該データ保存領域に保存することを特徴とするデータ通信端末。
【請求項７】
移動体に搭載されるデータ通信端末であって、
固定局から所定のデータを受信する受信手段と、
前記受信手段に所定のデータが受信された後、該データを実行処理する実行手段と、
受信された所定のデータを、複数の利用者に対応して利用者ごとに複数設けられた不揮発性のデータ保存領域に保存する保存手段と、
前記実行手段の実行処理中に利用者による選択がなされた場合に前記保存手段による該利用者に対応する前記データ保存領域への保存を実現させる選択手段と、
を備えることを特徴とするデータ通信端末。
【請求項８】
所定のデータを送信する送信手段を備える固定局と、
移動体に搭載され、固定局から所定のデータを受信する受信手段と、前記受信手段に所定のデータが受信された後、該データを実行処理する実行手段と、受信された所定のデータを不揮発性のデータ保存領域に保存する保存手段と、利用者による選択がなされた場合に前記保存手段による保存を実現させる選択手段と、前記実行手段の実行処理中に前記選択手段を表示する表示手段と、を備えるデータ通信端末と、
を有することを特徴とするデータ通信システム。
【請求項９】
所定のデータを送信する送信手段を備える固定局と、
移動体に搭載され、固定局から所定のデータを受信する受信手段と、前記受信手段に所定のデータが受信された後、該データを実行処理する実行手段と、受信された所定のデータを不揮発性のデータ保存領域に保存する保存手段と、前記実行手段の実行処理中に利用者による選択がなされた場合に前記保存手段による保存を実現させる選択手段と、利用者により前記選択手段の選択がなされた際に前記データ保存領域に既に保存された別のデータが存在する場合、受信された所定のデータを該データ保存領域に保存する前に利用者に対して上書き処理の実行可否の確認を行う保存確認手段と、を備え、前記保存手段は、利用者により前記選択手段の選択がなされた際、前記データ保存領域に保存されている別のデータが存在しない場合には実行処理中のデータを該データ保存領域に保存し、一方、前記データ保存領域に既に保存された別のデータが存在する場合には前記保存確認手段により上書き処理の実行が許可された後に実行処理中のデータを該データ保存領域に保存するデータ通信端末と、
を有することを特徴とするデータ通信システム。
【請求項１０】
所定のデータを送信する送信手段を備える固定局と、
移動体に搭載され、固定局から所定のデータを受信する受信手段と、前記受信手段に所定のデータが受信された後、該データを実行処理する実行手段と、受信された所定のデータを、複数の利用者に対応して利用者ごとに複数設けられた不揮発性のデータ保存領域に保存する保存手段と、前記実行手段の実行処理中に利用者により選択がなされた場合に前記保存手段による該利用者に対応する前記データ保存領域への保存を実現させる選択手段と、を備えるデータ通信端末と、
を有することを特徴とするデータ通信システム。
【発明の詳細な説明】
【０００１】
【発明の属する技術分野】
本発明は、データ通信端末およびデータ通信システムに係り、特に、移動体と固定局との間で例えば楽曲データの通信を行ううえで好適なデータ通信端末およびデータ通信システムに関する。
【０００２】
【従来の技術】
従来より、配信センタが所定のデータを送信し、データ通信端末が配信センタから所定のデータを受信した後にそのデータに基づいて実行処理を行うデータ通信システムが知られている（例えば、特許文献１参照）。この従来のシステムにおいて、データ通信端末は、配信センタからのデータを受信した場合、そのデータをＲＡＭ等の一時記憶メモリに記憶し、データの実行処理後に消去する。また、データ通信端末は、一時記憶メモリとは別に一のデータを記憶可能な不揮発性メモリを有し、データの実行処理途中に利用者により保存指示がなされた場合にその実行中のデータを保存することが可能となっている。従って、上記従来のデータ通信システムにおいては、データ通信端末が配信センタから繰り返し受信するデータを不揮発性メモリに保存することとすれば、配信センタとデータ通信端末との間で再度データ通信を行わなくても、そのデータを実行処理することが可能となる。
【０００３】
【特許文献１】
特開２０００−２９４８１号公報。
【０００４】
【発明が解決しようとする課題】
ところで、上記従来のデータ通信端末において、不揮発性メモリへの保存は、利用者により所定の操作部が操作された場合に実行される。この点、所定の操作部が常に利用者の操作可能に設置されているものとすると、不必要にその操作部が操作されるおそれがあり、不意にデータの保存処理が実行され、不揮発性メモリに既に記憶されている別のデータが上書きにより消去される可能性がある。従って、かかる点を考慮すれば、データの保存を行うための操作部を常に操作可能に設置するのは適切でない。
【０００５】
また、所定の操作部が操作された場合に必ずデータの保存処理が行われるものとすると、不揮発性メモリに既に別のデータが保存されている場合には実際には利用者はその別のデータの保存を希望するにもかかわらず実行処理中のデータが保存される事態が生ずる。従って、かかる不都合を発生させないためには、所定の操作部が操作された際に、不揮発性メモリに既に別のデータが保存されているか否かに関係なく常に新たなデータを保存することは適切でない。
【０００６】
更に、同一のデータ通信端末を複数の利用者が利用可能な場合にそのデータ通信端末が利用者に関係なく一のデータを保存可能な不揮発性メモリを有しているだけであると、利用者の利便性が損なわれる。従って、この点から言えば、利用者の如何にかかわらずデータを不揮発性メモリに保存するのは妥当でない。
【０００７】
本発明は、上述の点に鑑みてなされたものであり、受信データの実行処理中に的確に利用者にデータ保存操作を行わせることが可能なデータ通信端末およびデータ通信システムを提供することを目的とする。
【０００８】
【課題を解決するための手段】
上記の目的は、請求項１に記載する如く、移動体に搭載されるデータ通信端末であって、
固定局から所定のデータを受信する受信手段と、
前記受信手段に所定のデータが受信された後、該データを実行処理する実行手段と、
受信された所定のデータを不揮発性のデータ保存領域に保存する保存手段と、利用者による選択がなされた場合に前記保存手段による保存を実現させる選択手段と、
前記実行手段の実行処理中に前記選択手段を表示する表示手段と、
を備えるデータ通信端末により達成される。
【０００９】
また、上記の目的は、請求項８に記載する如く、所定のデータを送信する送信手段を備える固定局と、
移動体に搭載され、固定局から所定のデータを受信する受信手段と、前記受信手段に所定のデータが受信された後、該データを実行処理する実行手段と、受信された所定のデータを不揮発性のデータ保存領域に保存する保存手段と、利用者による選択がなされた場合に前記保存手段による保存を実現させる選択手段と、前記実行手段の実行処理中に前記選択手段を表示する表示手段と、を備えるデータ通信端末と、
を有するデータ通信システムにより達成される。
【００１０】
請求項１及び８記載の発明において、データ通信端末に受信された所定のデータの、不揮発性データ保存領域への保存は、利用者による選択手段の選択により実現される。その選択手段は、固定局からの受信データが実行処理されている最中に表示手段に表示される。利用者は、データが実行処理されている最中であればそのデータの保存を行うか否かを容易に判断することができるため、本発明の構成によれば、データ通信端末においてデータ保存の如何を容易に判断できる時期に選択手段を表示することができ、その結果、的確に利用者にデータ保存操作を行わせることができる。
【００１１】
上記の目的は、請求項２に記載する如く、請求項１記載のデータ通信端末において、利用者により前記選択手段の選択がなされた際に前記データ保存領域に既に保存された別のデータが存在する場合、受信された所定のデータを該データ保存領域に保存する前に利用者に対して上書き処理の実行可否の確認を行う保存確認手段を備え、
前記保存手段は、利用者により前記選択手段の選択がなされた際、前記データ保存領域に保存されている別のデータが存在しない場合には実行処理中のデータを該データ保存領域に保存し、一方、前記データ保存領域に既に保存された別のデータが存在する場合には前記保存確認手段により上書き処理の実行が許可された後に実行処理中のデータを該データ保存領域に保存するデータ通信端末により達成される。
【００１２】
請求項２記載の発明において、選択手段の選択がなされた際に不揮発性データ保存領域に既に別のデータが保存されている場合には、受信データがその不揮発性データ保存領域に保存される前に利用者に対して上書き処理の実行可否の確認が行われ、上書き処理の実行が許可された後に実行処理中のデータがデータ保存領域に保存される。一方、その別のデータが存在しない場合には直ちに実行処理中のデータが保存される。すなわち、不揮発性データ保存領域に別のデータが既に保存されている否かに応じて異なるデータ保存処理が実行される。従って、本発明によれば、不揮発性データ保存領域に既に別のデータが存在する場合には利用者により誤って実行処理中のデータが保存され、その別のデータが上書き消去されるのを防止することができ、一方、別のデータが存在しない場合には存在する場合に比してデータ保存処理を速やかに行うことができる。
【００１３】
上記の目的は、請求項３に記載する如く、請求項１又は２記載のデータ通信端末において、前記データ保存領域は、複数の利用者に対応して利用者ごとに複数設けられているデータ通信端末により達成される。
【００１４】
請求項３記載の発明において、データ通信端末に受信された所定のデータは、複数の利用者に対応して利用者ごとに複数設けられた不揮発性のデータ保存領域の当該利用者に対応する領域に保存される。このため、本発明によれば、利用者が保存を希望するデータが他の利用者のデータ保存領域に保存されることはなく、他の利用者のデータを誤って上書き消去するのを防止することができる。
【００１５】
この場合、請求項４に記載する如く、請求項３記載のデータ通信端末において、前記保存手段は、移動体と固定局との間で利用者の認証が行われた後に、該利用者に対応するデータ保存領域に受信された所定のデータを保存することとしてもよい。
【００１６】
尚、これらの場合、請求項５に記載する如く、請求項１乃至４の何れか一項記載のデータ通信端末において、前記所定のデータは、音楽に関するデータであることとしてもよい。
【００１７】
上記の目的は、請求項６に記載する如く、移動体に搭載されるデータ通信端末であって、
固定局から所定のデータを受信する受信手段と、
前記受信手段に所定のデータが受信された後、該データを実行処理する実行手段と、
受信された所定のデータを不揮発性のデータ保存領域に保存する保存手段と、前記実行手段の実行処理中に利用者による選択がなされた場合に前記保存手段による保存を実現させる選択手段と、
利用者により前記選択手段の選択がなされた際に前記データ保存領域に既に保存された別のデータが存在する場合、受信された所定のデータを該データ保存領域に保存する前に利用者に対して上書き処理の実行可否の確認を行う保存確認手段と、を備え、
前記保存手段は、利用者により前記選択手段の選択がなされた際、前記データ保存領域に保存されている別のデータが存在しない場合には実行処理中のデータを該データ保存領域に保存し、一方、前記データ保存領域に既に保存された別のデータが存在する場合には前記保存確認手段により上書き処理の実行が許可された後に実行処理中のデータを該データ保存領域に保存するデータ通信端末により達成される。
【００１８】
また、上記の目的は、請求項９に記載する如く、所定のデータを送信する送信手段を備える固定局と、
移動体に搭載され、固定局から所定のデータを受信する受信手段と、前記受信手段に所定のデータが受信された後、該データを実行処理する実行手段と、受信された所定のデータを不揮発性のデータ保存領域に保存する保存手段と、前記実行手段の実行処理中に利用者による選択がなされた場合に前記保存手段による保存を実現させる選択手段と、利用者により前記選択手段の選択がなされた際に前記データ保存領域に既に保存された別のデータが存在する場合、受信された所定のデータを該データ保存領域に保存する前に利用者に対して上書き処理の実行可否の確認を行う保存確認手段と、を備え、前記保存手段は、利用者により前記選択手段の選択がなされた際、前記データ保存領域に保存されている別のデータが存在しない場合には実行処理中のデータを該データ保存領域に保存し、一方、前記データ保存領域に既に保存された別のデータが存在する場合には前記保存確認手段により上書き処理の実行が許可された後に実行処理中のデータを該データ保存領域に保存するデータ通信端末と、
を有するデータ通信システムにより達成される。
【００１９】
請求項６及び９記載の発明において、データ通信端末に受信された所定のデータの、不揮発性データ保存領域への保存は、データの実行処理中における利用者による選択手段の選択により実現される。選択手段の選択がなされた際に不揮発性データ保存領域に既に別のデータが保存されている場合には、受信データがその不揮発性データ保存領域に保存される前に利用者に対して上書き処理の実行可否の確認が行われ、上書き処理の実行が許可された後に実行処理中のデータがデータ保存領域に保存される。一方、その別のデータが存在しない場合には直ちに実行処理中のデータが保存される。すなわち、不揮発性データ保存領域に別のデータが既に保存されている否かに応じて異なるデータ保存処理が実行される。従って、本発明によれば、不揮発性データ保存領域に既に別のデータが存在する場合には利用者により誤って実行処理中のデータが保存され、その別のデータが上書き消去されるのを防止することができ、一方、別のデータが存在しない場合には存在する場合に比してデータ保存処理を速やかに行うことができる。
【００２０】
上記の目的は、請求項７に記載する如く、移動体に搭載されるデータ通信端末であって、
固定局から所定のデータを受信する受信手段と、
前記受信手段に所定のデータが受信された後、該データを実行処理する実行手段と、
受信された所定のデータを、複数の利用者に対応して利用者ごとに複数設けられた不揮発性のデータ保存領域に保存する保存手段と、
前記実行手段の実行処理中に利用者による選択がなされた場合に前記保存手段による該利用者に対応する前記データ保存領域への保存を実現させる選択手段と、
を備えるデータ通信端末により達成される。
【００２１】
また、上記の目的は、請求項１０に記載する如く、所定のデータを送信する送信手段を備える固定局と、
移動体に搭載され、固定局から所定のデータを受信する受信手段と、前記受信手段に所定のデータが受信された後、該データを実行処理する実行手段と、受信された所定のデータを、複数の利用者に対応して利用者ごとに複数設けられた不揮発性のデータ保存領域に保存する保存手段と、前記実行手段の実行処理中に利用者により選択がなされた場合に前記保存手段による該利用者に対応する前記データ保存領域への保存を実現させる選択手段と、を備えるデータ通信端末と、
を有するデータ通信システムにより達成される。
【００２２】
請求項７及び１０記載の発明において、データ通信端末に受信された所定のデータの、不揮発性データ保存領域への保存は、データの実行処理中における利用者による選択手段の選択により実現される。この際、そのデータは、複数の利用者に対応して利用者ごとに複数設けられた不揮発性のデータ保存領域の当該利用者に対応する領域に保存される。このため、本発明によれば、利用者が保存を希望するデータが他の利用者のデータ保存領域に保存されることはなく、他の利用者のデータを誤って上書き消去するのを防止することができる。
【００２３】
【発明の実施の形態】
図１は、本発明の一実施例であるデータ通信システム１０の構成図を示す。図１に示す如く、本実施例のデータ通信システム１０は、車両に搭載される通信カラオケ端末（以下、単に車載端末と称す）１２と、車載端末１２にカラオケ曲のデータを提供する配信センタ１４と、を備えており、車室内において搭乗者にカラオケを行わせるべく、配信センタ１４と車載端末１２との間で曲データの授受のための通信を行う通信カラオケシステムである。車載端末１２と配信センタ１４とは、通信回線１６を介して通信可能に構成されている。
【００２４】
配信センタ１４は、多数のカラオケ曲の曲データが格納されたデータベースを有している。曲データは、曲名，歌手名，作曲家名，演奏情報，歌詞情報等により構成されている。また、曲データにはそれぞれ、固有の識別番号（例えば５桁の記号番号等）が付されている。配信センタ１４は、通信回線１６に接続するための通信部を介して、車載端末１２からカラオケ曲の配信要求を受け、その曲データを車載端末１２に向けて配信する。
【００２５】
車載端末１２は、制御部１８を備え、制御部１８により制御される。制御部１８には、タッチディスプレイ２０が接続されている。タッチディスプレイ２０は、車両搭乗者に操作される操作入力部と車両搭乗者に対して視認可能な表示部とを一体に構成した機器である。タッチディスプレイ２０の表示画面には、曲データ取得時は配信センタ１４の曲データを取得するための入力部が現れ、また、カラオケ演奏時はその歌詞および映像情報と共に入力部が現れる。制御部１８は、タッチディスプレイ２０の入力部における入力に応じた制御を行うと共に、タッチディスプレイ２０に対して歌詞および映像出力を行う。
【００２６】
制御部１８には、また、カラオケ用マイク２２及び車載スピーカ２４が接続されている。制御部１８は、カラオケ演奏時、車載スピーカ２４からカラオケ曲の演奏を行うと共に、同時にマイク２２に入力された搭乗者の音声を増幅して出力させる。
【００２７】
車載端末１２は、また、制御部１８に接続するデータ通信部２６、ＲＡＭ２８、及びＥＥＰＲＯＭ３０を備えている。データ通信部２６は、接続された携帯電話３２を介して通信回線１６に回線接続し、配信センタ１４とのデータ通信を行う。ＲＡＭ２８は、一曲分のカラオケ曲の曲データを一時記憶するデータ保存領域を有するメモリである。また、ＥＥＰＲＯＭ３０は、一曲のカラオケ曲の曲データを記憶するデータ保存領域を複数有する不揮発性メモリである。
【００２８】
車載端末１２は、更に、制御部１８に接続するメモリカードスロット３４を有している。メモリカードスロット３４には、ＳＤ（Ｓｅｃｕｒｅ　Ｄｉｇｉｔａｌ）カードが挿入可能である。ＳＤカードは、配信センタ１４のデータベースに格納された曲の曲データのうち例えば３０００曲分の曲名，歌手名，作曲家名，ジャンル名，固有識別番号（以下、これらのデータを曲識別データと称す）を書込可能に構成されており、車載端末１２以外にパソコンやＰＤＡ，コンビニエンスストア等に設置されたＫＩＯＳＫ端末等からデータが書き込まれる。車載端末１２は、メモリカードスロット３４に挿入されたＳＤカードに書き込まれた曲識別データから所定の検索を行い、その検索結果から選曲・指定された曲を配信センタ１４から取得し得る。
【００２９】
次に、本実施例のデータ通信システム１０の動作について説明する。
【００３０】
本実施例の車両用通信カラオケシステムは、車載端末２０においてタッチディスプレイ２０に表示されたアプリケーション起動ボタンの押下により起動される。そして、利用者ＩＤとパスワードが入力された後にメニュー画面からカラオケコースが選択された場合、搭乗者にカラオケを行わせるモード（以下、カラオケモードと称す）に移行する。
【００３１】
図２及び図３はそれぞれ、本実施例においてカラオケモードが開始された直後における車載端末２０のタッチディスプレイ２０の表示画面を模式的に表した図を示す。尚、図３に示す表示画面は、図２に示す表示画面よりも下の階層における表示画面である。カラオケモードが開始されると、タッチディスプレイ２０の表示画面に、図２に示す如く、“選曲メニュー”ボタンが現れる。
【００３２】
本実施例のシステムにおいて、車室内において搭乗者がカラオケを行う際の選曲手法としては、▲１▼番号選曲、▲２▼お気に入り選曲、▲３▼ローカル選曲、▲４▼十八番曲、および▲５▼予約再生の５つがある。図２に示す表示画面において“選曲メニュー”ボタンが押下されると、タッチディスプレイ２０の表示画面は、図２に示す画面から図３に示す画面へ切り替わる。尚、図３に示す画面において、“十八番曲”ボタン及び“予約再生”ボタン以外の各ボタンは、車両走行時、走行規制のために操作不可能にトーンダウンする。以下、タッチディスプレイ２０に現れるボタンは、原則として車両走行中は操作不可能にトーンダウンする。
【００３３】
カラオケモード時に図３に示す表示画面において“番号選曲”ボタンが押下されると、タッチディスプレイ２０の表示画面に、カラオケ曲の固有識別番号を入力するための入力ボタン及び取得開始ボタンが現れる。かかる状態で配信センタ１４のデータベースに格納された曲の固有識別番号が搭乗者により入力操作され、取得開始ボタンが押下されると、車載端末１２は、配信センタ１４と通信回線接続し、その固有識別番号に対応する曲の曲データのダウンロードを要求する。
【００３４】
また、カラオケモード時に図３に示す表示画面において“お気に入り”ボタンが押下されると、タッチディスプレイ２０の表示画面に、自己の利用者がカラオケで歌う頻度の高い好みの曲名が歌手名と共にリスト化された「お気に入りリスト」および取得開始ボタンが表示される。この「お気に入りリスト」は、利用者が車載端末１２や携帯電話，パソコン，ＰＤＡ等を用いてＷＥＢ上で予め配信センタ１４に保存させたものであり、最大で例えば５０曲まで保有可能である。
【００３５】
配信センタ１４に保存された「お気に入りリスト」が各曲名に対応する固有識別番号と共に車載端末１２に取り込まれた後は、車載端末１２において「お気に入りリスト」からカラオケ曲の指定が可能となる。かかる状態でタッチディスプレイ２０の表示画面における「お気に入りリスト」から一曲が指定され、取得開始ボタンが押下されると、車載端末１２は、配信センタ１４と通信回線接続し、その指定された曲の固有識別番号を配信センタ１４に向けて送信することにより、その固有識別番号に対応する曲の曲データのダウンロードを要求する。
【００３６】
また、カラオケモード時に図３に示す表示画面において“ＳＤ選曲”ボタンが押下されると、タッチディスプレイ２０の表示画面に、ポップス，演歌等の曲のジャンルを特定するための“ジャンル選択”ボタン、歌手名を特定するための“歌手選択”ボタン、及び曲名を特定するための“曲選択”ボタンが現れる。車載端末１２のメモリカードスロット３４に曲識別データが書き込まれたＳＤカードが挿入された状態で、曲のジャンル、歌手名、又は曲名が車両搭乗者により指定されると、ＳＤカードに書き込まれた曲の範囲でその指定に従った検索が行われる。そして、その検索結果が示された曲選択画面において一曲が指定され、取得開始ボタンが押下されると、車載端末２０は、配信センタ１４と通信回線接続し、その指定された曲の固有識別番号を配信センタ１４に向けて送信することにより、その固有識別番号に対応する曲データのダウンロードを要求する。
【００３７】
更に、カラオケモード時に図３に示す表示画面において“予約再生”ボタンが押下されると、車載端末１２は、配信センタ１４と通信回線接続し、「予約再生リスト」内の曲の曲データのダウンロードを要求する。この「予約再生リスト」は、利用者によりカラオケで歌われる曲がリスト化されたものであり、利用者が車載端末１２や携帯電話，パソコン，ＰＤＡ等を用いてＷＥＢ上で予め配信センタ１４に保存させたものであって、最大で例えば５０曲まで保有可能である。
【００３８】
配信センタ１４は、車載端末１２から“番号選曲”、“お気に入り選曲”、及び“ＳＤ選曲”による配信要求がなされた場合、その固有識別番号の曲データをデータベースから抽出すると共に、その曲データの演奏情報等のすべてのデータをその車載端末１２に向けてダウンロードする。また、配信センタ１４は、車載端末１２から“予約再生”による配信要求がなされた場合、保存するその利用者の「予約再生リスト」から最初に登録された一曲又はランダムな一曲の曲データを抽出すると共に、その曲データの演奏情報等のすべてのデータをその車載端末１２に向けてダウンロードする。
【００３９】
車載端末１２は、配信要求後に配信センタ１４からの配信データを受信した場合、その曲データを一時記憶ＲＡＭに記憶する。そして、その曲データの取得が完了すると、その曲データによる曲のカラオケ再生、すなわち、スピーカによる伴奏およびタッチディスプレイ２０による歌詞表示（車両走行中は非表示）を開始すると共に、配信センタ１４に向けて配信データの取得完了通知を行う。
【００４０】
配信センタ１４は、車載端末１２から“予約再生”による配信要求がなされた状況下において、「予約再生リスト」からの曲データの配信後に車載端末１２からその取得完了通知を受信した場合、その曲データを「予約再生リスト」から削除する。車載端末１２は、“予約再生”による配信が行われた曲のカラオケ再生が終了した場合又はその曲のスキップ処理がなされた場合、「予約再生リスト」内の次曲のデータのダウンロードを配信センタ１４に要求する。配信センタ１４は、“予約再生”による次曲の配信要求がなされた場合は、前曲が取得完了通知により既に削除されているその利用者の「予約再生リスト」から一曲の曲データを抽出し、その曲データの演奏情報等のすべてのデータをその車載端末１２に向けてダウンロードする。
【００４１】
“予約再生”時には、車載端末１２及び配信センタ１４は、上記した処理を繰り返し行う。そして、配信センタ１４は、「予約再生リスト」内の曲のデータをすべてダウンロードし、最後の曲データに係る取得完了通知を車載端末１２から受信すると、その利用者の「予約再生リスト」内に予約再生曲が存在しない状態となり、車載端末１２に対して予約再生曲が存在しない旨を通知する。
【００４２】
また、カラオケモード時に図３に示す表示画面において“十八番曲”ボタンが押下されると、車載端末１２は、後に詳述する如くＥＥＰＲＯＭ３０に格納されている曲データを読み出し、ＲＡＭ２８にコピーし、その曲のカラオケ再生を開始する。
【００４３】
このように、本実施例のシステムにおいては、車両搭乗者が車室内においてカラオケを行う際、▲１▼番号選曲、▲２▼お気に入り選曲、▲３▼ローカル選曲、▲４▼十八番曲、および▲５▼予約再生の５つの選曲手法を用いることができる。従って、車室内においてカラオケを行ううえで車両搭乗者に複数の選曲手法を提供することができ、車両搭乗者によるカラオケの選曲の自由度を高めることができる。このため、車両搭乗者に最適な選曲手法を選択させることができるので、カラオケ再生を適切に行うことが可能となる。
【００４４】
すなわち、カラオケを希望する曲の固有識別番号を搭乗者が知っている場合には“番号選曲”を選択することとすれば、その曲のカラオケを容易に行うことができる。また、カラオケ曲がある範囲に限定されている場合には、「お気に入りリスト」をサーバ２２に作成した上でかつその「お気に入りリスト」を曲別の固有識別番号と共に車載端末２０に取り込んだ状態で“お気に入り”を選択することとすれば、曲の固有識別番号を入力することなく車室内においてカラオケを行うことができる。
【００４５】
また、“お気に入り”の選曲手法においては、通常のカラオケの如く曲名と固有識別番号とがリンクして掲載された歌本から利用者が固有識別番号を入力して曲を再生する構成と異なり、紙による歌本なるものを必要としない。また、利用者にとって不要な曲が収録されていないより効果的な曲がリスト化された「お気に入りリスト」を配信センタ１４から車載端末１２に提供し、車載端末１２において「お気に入りリスト」からカラオケ再生を行う曲を車両搭乗者に指定させるので、曲選択を迅速に行うことができると共に、最新の曲への対応を迅速に行うことができる。
【００４６】
また、曲識別データが書き込まれたＳＤカードが存在する場合には“ＳＤ選曲”を選択することとすれば、曲の固有識別番号を入力することなく車室内においてカラオケを行うことができる。また、カラオケで歌う曲が予め決まっている場合には、「予約再生リスト」を配信センタ１４に作成した上で“予約再生”を選択することとすれば、車両搭乗者が一々選曲操作を行うことなく継続して車室内において好みの曲のカラオケを行うことができる。更に、車両搭乗者が複数回にわたってカラオケを行う“十八番”の曲を有している場合には、その曲をＥＥＰＲＯＭ３０に記憶した上で“十八番曲”を選択することとすれば、カラオケごとに車載端末１２が配信センタ１４から曲データをダウンロードする必要はなく、簡易に十八番の曲のカラオケを行うことができる。
【００４７】
次に、車両搭乗者が複数回にわたってカラオケを行う“十八番”の曲の曲データをＥＥＰＲＯＭ３０に格納する手法について説明する。
【００４８】
本実施例の車載端末１２において、タッチディスプレイ２０の図２に示す表示画面には、“機能”ボタンが現れる。この“機能”ボタンは、カラオケ曲が演奏されている場合にのみ操作可能にアクティブとなり、カラオケ曲が演奏されていない場合には操作不可能にトーンダウンする。
【００４９】
図４は、本実施例において“機能”ボタンが押下された際に現れるタッチディスプレイ２０の表示画面を模式的に表した図を示す。上記した“機能”ボタンが操作可能な状態で、すなわち、カラオケ演奏中に押下されると、タッチディスプレイ２０の表示画面は、図２に示す画面から図４に示す画面へ切り替わる。かかる図４に示す画面には、“十八番設定”ボタンが現れる。
【００５０】
図５は、本実施例においてカラオケ曲の曲データを不揮発性のＥＥＰＲＯＭ３０のデータ保存領域に保存する手法を説明するための図を示す。また、図６は、本実施例においてカラオケ曲の曲データを不揮発性のＥＥＰＲＯＭ３０のデータ保存領域に保存する際の操作手順の要部を説明するための図を示す。
【００５１】
カラオケ演奏中の曲の曲データすべては、ＲＡＭ２８に一時記憶されている。車載端末１２において、カラオケ演奏中に“十八番設定”ボタンが押下されると、現時点でＲＡＭ２８の所定の保存領域に保存されているカラオケ演奏中の曲の曲データ（ＭＩＤＩデータ）が圧縮され、ＥＥＰＲＯＭ３０の所定の保存領域（図５においてはＸ３の領域）に格納される。
【００５２】
カラオケ演奏中に“十八番設定”ボタンが押下された際にＥＥＰＲＯＭ３０の保存領域に何らの曲の曲データも格納されていない場合には、車載端末１２は、直ちにカラオケ演奏中の曲の曲データをＥＥＰＲＯＭ３０に格納する。この際には、タッチディスプレイ２０の表示画面に、図６に示す如き「十八番に登録している」旨の表示がなされ（図６において斜線部分）、車両搭乗者にその旨が知らされる。
【００５３】
また、カラオケ演奏中に“十八番設定”ボタンが押下された際にＥＥＰＲＯＭ３０の保存領域に既に他の曲の曲データが格納されている場合には、車載端末１２は、カラオケ演奏中の曲の曲データをＥＥＰＲＯＭ３０に格納する前にまず、車両搭乗者に現在の十八番を置き換えるか否かの確認を行う。この際には、タッチディスプレイ２０の表示画面に、図６に示す如く、「現在の十八番を置き換えるか否か」の旨の表示がなされる（図６において斜線部分）。そして、車載端末１２は、車両搭乗者が置き換えない旨の選択をした場合には、カラオケ演奏中の曲の曲データをＥＥＰＲＯＭ３０に格納しない。一方、車両搭乗者が置き換える旨の選択をした場合には、カラオケ演奏中の曲の曲データをＥＥＰＲＯＭ３０に格納する。この際には、タッチディスプレイ２０の表示画面に、図６に示す如く、「十八番に登録している」旨の表示がなされ、車両搭乗者にその旨が知らされる。
【００５４】
タッチディスプレイ２０の上記図３に示す画面において、“十八番曲”ボタンは、ＥＥＰＲＯＭ３０に曲データが格納されていない場合には操作不可能にトーンダウンする一方、曲データが格納されている場合には操作可能にアクティブとなる。操作可能な十八番曲”ボタンが押下されると、ＥＥＰＲＯＭ３０に格納されている曲データは、読み出され伸張された後にＲＡＭ２８にコピーされる。そして、その曲のカラオケ再生が開始される。
【００５５】
ＥＥＰＲＯＭ３０は不揮発性のメモリであるので、車両停止等による電源遮断後もＥＥＰＲＯＭ３０に格納された曲データの保存は維持される。従って、車両搭乗者は、ＥＥＰＲＯＭ３０に好みの曲の曲データを記憶させれば、その曲を十八番曲として、配信センタ１４からダウンロードすることなく何回でもカラオケすることができる。すなわち、十八番曲をＥＥＰＲＯＭ３０に記憶した上で“十八番曲”を選択すれば、カラオケごとに配信センタ１４から車載端末１２に曲データをダウンロードする必要はなく、簡易に十八番曲のカラオケを行うことができる。
【００５６】
本実施例の構成において、カラオケ演奏中の曲を十八番曲としてＥＥＰＲＯＭ３０に格納するためには、車両搭乗者により“十八番設定”ボタンが押下される必要がある。この“十八番設定”ボタンは、カラオケ演奏中にのみ操作可能な“機能”ボタンが押下された場合にタッチディスプレイ２０の表示画面に現れ、カラオケ演奏中においてのみ機能する。すなわち、十八番曲のＥＥＰＲＯＭ３０への保存は、車両搭乗者による“十八番設定”ボタンの押下により実現されると共に、その曲が実際にカラオケ演奏されている最中にのみ実現される。
【００５７】
車両搭乗者は、曲がカラオケ演奏されている最中であればその曲を十八番曲としてデータ保存しておくべきか否かの判断を容易に行うことができる。従って、本実施例によれば、車載端末１２においてカラオケ演奏中の曲を十八番曲としてデータ保存すべきか否かが容易に判断される時期にその設定ボタンがタッチディスプレイ２０の表示画面に表示されるので、車両搭乗者に的確に十八番設定操作を行わせることが可能である。
【００５８】
また、本実施例の構成において、カラオケ演奏中の曲が十八番曲としてＥＥＰＲＯＭ３０に格納される際、そのＥＥＰＲＯＭ３０に既に他の曲の曲データが格納されているか否かに応じて、その後の車両搭乗者の設定操作が異なる。具体的には、上記の如く、ＥＥＰＲＯＭ３０に何らの曲の曲データも格納されていない場合には、直ちにその曲データがＥＥＰＲＯＭ３０に格納される。一方、ＥＥＰＲＯＭ３０に既に他の曲の曲データが格納されている場合には、車両搭乗者に現在の十八番を置き換えるか否かの確認がなされ、その結果、置き換え可の確認がなされた後にカラオケ演奏中の曲の曲データがＥＥＰＲＯＭ３０に格納される。
【００５９】
従って、本実施例によれば、ＥＥＰＲＯＭ３０に既に他の曲の曲データが存在する場合には車両搭乗者により現時点でカラオケ演奏中の曲の曲データが誤ってＥＥＰＲＯＭ３０に十八番曲として保存されるのを防止でき、その他の曲の曲データが上書き消去されるのを防止することができる。また、ＥＥＰＲＯＭ３０に他の曲の曲データが存在しない場合には、車両搭乗者による保存確認が不要であるので、ＥＥＰＲＯＭ３０に他曲の曲データが存在する場合に比してカラオケ演奏中の曲の曲データの保存を簡素な操作でかつ速やかに実現することができる。
【００６０】
ところで、本実施例の車両用通信カラオケシステムは、上記の如く、車載端末２０においてタッチディスプレイ２０に表示されたアプリケーション起動ボタンの押下により起動された後、利用者ＩＤおよびパスワードが入力されることによりカラオケモードに移行する。ＥＥＰＲＯＭ３０は、一曲のカラオケ曲の曲データを記憶するデータ保存領域を複数有する不揮発性メモリである。そこで、本実施例においては、利用者ごとにＥＥＰＲＯＭ３０のデータ保存領域（図５においてＸ１〜Ｘ４の領域）が割り当てられる。そして、カラオケ演奏中の曲が十八番曲としてＥＥＰＲＯＭ３０に格納される際、アプリケーション起動後に入力された利用者ＩＤに対応するＥＥＰＲＯＭ３０のデータ保存領域にその曲データが格納される。
【００６１】
このため、本実施例においては、利用者ごとの十八番曲の曲データがそれぞれＥＥＰＲＯＭ３０に格納可能である。すなわち、車両搭乗者がＥＥＰＲＯＭ３０への保存を希望する十八番曲の曲データは、その搭乗者のデータ保存領域に保存されるので、その曲データが他の利用者のデータ保存領域に保存されるのを回避することができ、他の利用者のデータ保存領域に格納されている曲データを誤って上書き消去してしまうのを防止することができる。これにより、車載端末１２が搭載される車両に乗車する利用者が複数存在し変化する場合にも、各利用者に対応して十八番曲のカラオケを楽しむことが可能となる。
【００６２】
図７は、カラオケ曲の曲データを不揮発性のＥＥＰＲＯＭ３０のデータ保存領域に保存すべく、本実施例の車載端末１２が実行する制御ルーチンのフローチャートを示す。図７に示すルーチンは、その処理が終了するごとに繰り返し起動されるルーチンである。図７に示すルーチンが起動されると、まずステップ１００の処理が実行される。
【００６３】
ステップ１００では、配信センタ１４との間で利用者ＩＤの認証が行われ、認証が確認されたか否かが判別される。利用者ＩＤの認証は、アプリケーション起動後に配信センタ１４との通信を行うことにより、入力された利用者ＩＤが配信センタ１４に登録されているか否かに基づいて行われる。その結果、否定判定がなされた場合は、以後何ら処理が進められることなく今回のルーチンは終了される。一方、肯定判定がなされた場合は、次にステップ１０２の処理が実行される。
【００６４】
ステップ１０２では、カラオケモード時において上記した選曲手法を用いて配信センタ１４からダウンロードされたカラオケ曲の曲データがＲＡＭ２８に一時記憶され、その曲がカラオケ演奏されている最中であるか否かが判別される。その結果、カラオケ曲が演奏中でないと判別される場合は、今回のルーチンは終了される。一方、カラオケ曲が演奏中であると判別される場合は、次にステップ１０４の処理が実行される。
【００６５】
ステップ１０４では、カラオケ曲の演奏中にタッチディスプレイ２０に現れる“十八番曲設定”ボタンが押下されたか否かが判別される。その結果、“十八番曲設定”ボタンが押下されていないと判別される場合は、今回のルーチンは終了される。一方、“十八番曲設定”ボタンが押下されたと判別される場合は、次にステップ１０６の処理が実行される。
【００６６】
ステップ１０６では、ＥＥＰＲＯＭ３０に既に他の曲の曲データが格納されているか否かが判別される。その結果、否定判定がなされた場合は、次にステップ１１０の処理が実行される。一方、肯定判定がなされた場合は、次にステップ１０８の処理が実行される。
【００６７】
ステップ１０８では、十八番曲の置き換えが可能であるか否かが判別される。十八番曲の置き換えは、車両搭乗者による所定操作が行われた場合に可能となる。その結果、十八番曲の置き換えが不可であると判別される場合は、今回のルーチンは終了される。一方、十八番曲の置き換えが可能であると判別される場合は、次にステップ１１０の処理が実行される。
【００６８】
ステップ１１０では、カラオケ演奏中の曲の曲データをＥＥＰＲＯＭ３０の当該利用者に割り当てられたデータ保存領域に保存格納する処理が実行される。本ステップ１１０の処理が実行されると、以後、“十八番曲”による選曲が可能となり、その曲のカラオケ再生が可能となる。本ステップ１１０の処理が終了すると、今回のルーチンは終了される。
【００６９】
上記図７に示すルーチンによれば、曲がカラオケ演奏されている最中に“十八番設定”がなさることにより、その曲の曲データをＥＥＰＲＯＭ３０の当該利用者に対応するデータ保存領域に格納することができる。従って、本実施例によれば、車載端末１２において曲を十八番曲としてデータ保存すべきか否かが容易に判断されるカラオケ演奏時期にその設定ボタンがタッチディスプレイ２０の表示画面に表示されるので、車両搭乗者に的確に十八番設定操作を行わせることが可能となっている。また、ＥＥＰＲＯＭ３０への保存を希望する十八番曲の曲データがその搭乗者のデータ保存領域に保存されるので、その曲データが他の利用者のデータ保存領域に保存されるのを回避することができ、他の利用者のデータ保存領域に格納されている曲データを誤って上書き消去してしまうのを防止することが可能となっている。
【００７０】
また、上記図７に示すルーチンによれば、カラオケ演奏中の曲が十八番曲としてＥＥＰＲＯＭ３０に格納される際、そのＥＥＰＲＯＭ３０に何らの曲の曲データも格納されていない場合には直ちにその曲データをＥＥＰＲＯＭ３０に格納し、一方、ＥＥＰＲＯＭ３０に既に他の曲の曲データが格納されている場合には車両搭乗者に現在の十八番を置き換えるか否かの確認がなされた後にその曲データを格納することができる。従って、本実施例によれば、既データ存在時にはＥＥＰＲＯＭ３０に誤ってカラオケ演奏中の曲の曲データが保存されるのを防止でき、既データの上書き消去を防止することができると共に、データ非存在時にはカラオケ演奏中の曲の曲データの保存を簡素な操作でかつ速やかに実現することが可能となっている。
【００７１】
尚、上記の実施例においては、通信カラオケ端末１２が特許請求の範囲に記載した「データ通信端末」に、データ通信部２６が特許請求の範囲に記載した「受信手段」に、カラオケ曲の曲データが特許請求の範囲に記載した「所定のデータ」に、制御部１８がＲＡＭ２８に記憶された曲データをカラオケ再生することが特許請求の範囲に記載した「実行手段」に、制御部１８がＲＡＭ２８に記憶された曲データをＥＥＰＲＯＭ３０に格納することが特許請求の範囲に記載した「保存手段」に、“十八番設定”ボタンが特許請求の範囲に記載した「選択手段」に、タッチディスプレイ２０が特許請求の範囲に記載した「表示手段」に、制御部１８が車両搭乗者にＥＥＰＲＯＭ３０への保存の確認を行うことが特許請求の範囲に記載した「保存確認手段」に、配信センタ１４が特許請求の範囲に記載した「固定局」に、それぞれ相当している。
【００７２】
ところで、上記の実施例においては、カラオケ曲の楽曲配信が行われるシステムに適用することとしているが、本発明はこれに限定されるものではなく、歌詞のないＢＧＭ曲や映画，朗読本の配信に適用することも可能である。更に、上記の実施例においては、車両に搭載された車載端末２０に曲データを配信するものであるが、車載端末２０に限らず、利用者の携帯する携帯端末やＰＤＡ等に配信するものであってもよい。
【００７３】
【発明の効果】
上述の如く、請求項１、５、及び８記載の発明によれば、データ通信端末においてデータ保存の如何を容易に判断できる時期に選択手段を表示手段に表示するので、的確に利用者にデータ保存操作を行わせることができる。
【００７４】
請求項２記載の発明によれば、的確に利用者にデータ保存操作を行わせることができると共に、不揮発性データ保存領域に既に別のデータが存在する場合には実行処理中のデータの保存に起因してその別のデータが上書き消去されるのを防止することができ、一方、別のデータが存在しない場合には存在する場合に比してデータ保存処理を速やかに行うことができる。
【００７５】
請求項３及び４記載の発明によれば、的確に利用者にデータ保存操作を行わせることができると共に、利用者が保存を希望するデータが他の利用者のデータ保存領域に保存されるのを回避することができる。
【００７６】
請求項６及び９記載の発明によれば、不揮発性データ保存領域に既に別のデータが存在する場合には実行処理中のデータの保存に起因してその別のデータが上書き消去されるのを防止することができ、一方、別のデータが存在しない場合には存在する場合に比してデータ保存処理を速やかに行うことができる。
【００７７】
また、請求項７及び１０記載の発明によれば、利用者が保存を希望するデータが他の利用者のデータ保存領域に保存されるのを回避し、他の利用者のデータを誤って上書き消去するのを防止することができる。
【図面の簡単な説明】
【図１】本発明の一実施例であるデータ通信システムの構成図である。
【図２】本実施例においてカラオケモードが開始された直後における車載端末の表示画面を模式的に表した図である。
【図３】本実施例においてカラオケモードが開始された直後における車載端末の表示画面を模式的に表した図である。
【図４】本実施例において“番号選曲”ボタンが押下された際に現れる車載端末の表示画面を模式的に表した図である。
【図５】本実施例において所定のデータが不揮発性のデータ保存領域に保存される状態を模式的に表した図である。
【図６】本実施例において所定のデータを不揮発性のデータ保存領域に保存する際の操作手順の要部を説明するための図である。
【図７】本実施例において、所定のデータを不揮発性のデータ保存領域に保存すべく実行される制御ルーチンのフローチャートである。
【符号の説明】
１０　データ通信システム
１２　車載端末
１４　配信センタ
１８　制御部
２０　タッチディスプレイ
３０　ＥＥＰＲＯＭ
【図１】
2004109196.tif 000003
【図２】
2004109196.tif 000004
【図３】
2004109196.tif 000005
【図４】
2004109196.tif 000006
【図５】
2004109196.tif 000007
【図６】
2004109196.tif 000008
【図７】
2004109196.tif 000009